(57)【要約】      （修正有）【課題】送信機の送信電力と送信周波数を自動設定する。【解決手段】送信機１０において、変調部１１と、周波数変換機能付の送信周波数決定部１２と、高周波数増幅機能付の送信電力決定部１３と、認証鍵送信周波数判断部１４と、認証鍵送信電力判断部１５と、認証鍵挿入部１６とを有し、該認証鍵挿入部１６に挿入された認証鍵の情報により、上記認証鍵送信周波数判断部１４と上記認証鍵送信電力判断部１５との制御で、上記周波数変換機能付の送信周波数決定部１２が送信周波数を決定し、上記高周波数増幅機能付の送信電力決定部１３が送信電力を決定する。【選択図】図１
2011223380.tif 000002
【特許請求の範囲】
【請求項１】
送信機において、変調部と、周波数変換機能付の送信周波数決定部と、高周波数増幅機能付の送信電力決定部と、認証鍵送信周波数判断部と、認証鍵送信電力判断部と、認証鍵挿入部とを有し、該認証鍵挿入部に挿入された認証鍵の情報により、上記認証鍵送信周波数判断部と上記認証鍵送信電力判断部との制御で、上記周波数変換機能付の送信周波数決定部が送信周波数を決定し、上記高周波数増幅機能付の送信電力決定部が送信電力を決定することを特徴とする送信機。
【発明の詳細な説明】
【技術分野】
【０００１】
本発明は、所定地域に地上デジタル放送電波を送信するシステムに関するものである。
【背景技術】
【０００２】
地上デジタル放送（ＩＳＤＢ−Ｔ）の1チャンネル６ＭＨｚの周波数は、図３（ａ）の地上デジタル広域放送のセグメント配置を示す模式図のように、１４分割した４２８．６ｋＨｚの１３セグメントと両端２１４．３ｋＨｚのガードバンドからなる。現在の地上デジタル放送は、周囲の１２セグメントで伝送情報量の多い６４値直交振幅変調（６４ＱＡＭ）方式で高精細度テレビジョン放送（ＨＤＴＶ）1番組か標準テレビジョン放送（ＳＤＴＶ）３番組を伝送し、地上デジタル放送の1セグメント放送（以下1セグと省略）として、中央の０番目のセグメントで伝送誤りに強い４相位相偏移変調（ＱＰＳＫ）方式で、映像、音声、データを伝送している。
【０００３】
ところで、図３（ｂ）の地上デジタルエリア放送のセグメント配置を示す模式図のように、市町村等の所定地域に共通に中央のセグメント＃０の地上デジタル放送のＱＰＳＫ方式電波を小電力で送信し、団地や集落等の所定地域の各部分に周辺のセグメント＃１からセグメント＃１２の各セグメント（１セグ）の地上デジタル放送または３セグメント単位の地上デジタルラジオ放送のＱＰＳＫ方式電波を小電力で送信するシステム（エリア放送）も提案されている。
また、中央のセグメント＃０の送信電界は周辺セグメントの送信電界より強く送信する方法が提案されている（特許文献１参照）。
【０００４】
従来の技術では、地上デジタル放送技術を用いて視聴者向けに放送を行っている場合に、放送する周波数、チャンネルや送信電力は、政府機関が指定した値を選定し電波を発射している。
【０００５】
有限な資源である周波数領域の有効利用から、その地域毎に空いている周波数領域をホワイトスペースと呼ぶ。
【０００６】
今後ワンセグは電波のホワイトスペース有効利用を目的に、市町村、展示場、大規模娯楽施設、商店街等で防災目的や商業目的に利用される見通しである。（このようにある特定のエリアに対しのみ放送サービスを行う事を以降エリア放送と呼ぶ。）地上デジタル放送の広域放送とエリア放送を示す模式図を図４に示す。図４（ａ）は地上デジタル広域放送のセグメント配置を示し、図４（ｂ）は地上デジタルエリア放送のセグメント配置を示す模式図である。
【０００７】
エリア放送では、電波発射する地域において既存の放送局と混信が無いように、エリア放送で使用する周波数や送信電力を選定し電波発射を行う。
【０００８】
エリア放送を行う者が周波数を間違えて送信をしたり、意図的にその地域で空いていない周波数から電波発射すると既存の放送波受信に影響を与える。
【先行技術文献】
【特許文献】
【０００９】
【特許文献１】特開２００９−２１２５７７号公報
【発明の概要】
【発明が解決しようとする課題】
【００１０】
本発明は、送信機の送信電力と送信周波数を自動設定することを目的とする。
【課題を解決するための手段】
【００１１】
本発明は、上記の目的を達成するために、変調部と、周波数変換機能付の送信周波数決定部と、高周波数増幅機能付の送信電力決定部と、認証鍵送信周波数判断部と、認証鍵送信電力判断部と、認証鍵挿入部とを有し、該認証鍵挿入部に挿入された認証鍵の情報により、上記認証鍵送信周波数判断部と上記認証鍵送信電力判断部との制御で、上記周波数変換機能付の送信周波数決定部が送信周波数を決定し、上記高周波数増幅機能付の送信電力決定部が送信電力を決定することを特徴とする送信機である。
【発明の効果】
【００１２】
以上説明したように本発明によれば、送信機の送信電力と送信周波数を自動設定することにより、送信電力と送信周波数の誤りを回避することができる。
【図面の簡単な説明】
【００１３】
【図１】本発明の一実施例の送信機を示すブロック図
【図２】本発明の一実施例の送信機の動作を示す模式図
【図３】地上デジタル放送のセグメントを示す模式図（（ａ）地上デジタル広域放送のセグメント配置、（ｂ）地上デジタルエリア放送のセグメント配置）
【図４】地上デジタル放送の広域放送とエリア放送を示す模式図（（ａ）広域放送とエリア放送の送信電力と放送領域（カバーエリア）、（ｂ）エリア放送の放送領域（カバーエリア））
【発明を実施するための形態】
【実施例１】
【００１４】
本発明の一実施例の送信機を示すブロック図の図１と、本発明の一実施例の送信機の動作を示す模式図の図２と、地上デジタル放送のセグメントを示す模式図の図３と、地上デジタル放送の広域放送とエリア放送を示す模式図の図４と、を用いて本発明を説明する。
【００１５】
図１に示すように、放送したい信号1Aを本発明送信機10内のOFDM変調部11に入力する。OFDM変調部11は、放送したい信号1Aを変調し、変調信号1Bを送信周波数決定部（周波数変換機能付）12へ出力する。
同じく本発明送信機10内には認証鍵挿入部16を具備し、認証鍵が正規か否か、鍵内の、周波数情報である取得周波数情報1Dと、電力情報である取得電力情報1Eを出力する。
【００１６】
取得周波数情報1Dは、認証鍵送信周波数判断部14へ入力する。取得した周波数情報である取得周波数情報1Dの値によって、認証鍵送信周波数判断部14は周波数を決定し、決定周波数情報1Fを先述の送信周波数決定部12へ入力する。送信周波数決定部12は、先述の送信周波数1Bを、決定周波数情報1Fの内容により、周波数を変換する。変換した信号は周波数変換信号1Cとして、送信電力決定部13へ入力する。
【００１７】
先述の取得電力情報1Eは、認証鍵送信電力判断部15へ入力する。認証鍵送信電力判断部15は、取得した電力情報である取得電力情報1Eの値によって、電力を決定し、決定電力情報1Gを送信電力決定部（高周波数増幅機能付）13へ入力する。
【００１８】
先述の送信電力決定部13は、先述の周波数変換信号1Cの信号を、決定電力情報1Gの内容により、送信電力を設定しアンテナ１７に出力し、出力放送波１Ｈを送信する。
【００１９】
本発明の一実施例の送信機の動作を示す模式図の図２は、本発明の処理の流れを示している。先述の認証鍵挿入部16は、認証鍵が無い、もしくは認証鍵が非正規の場合に、チャネル情報がない事を取得周波数情報1Dとして、認証鍵送信周波数判断部14へ入力する。同じく、先述の認証鍵挿入部16は、電力情報が無かった事を取得電力情報1Eとして、認証鍵送信電力判断部15へ入力する。1Eの値が無かった事から、電波を出してはいけないと判断し送信電力決定部13は送信電力を0に設定し、電波の送出は行わない。
【００２０】
次に、認証鍵が正規だった場合には、先述の認証鍵挿入部16は取得した周波数情報を取得周波数情報1Dとして認証鍵送信周波数判断部14へ入力する。認証鍵送信周波数判断部14は、1Dの値によって送信周波数を決定し、決定周波数情報1Fを送信周波数決定部12へ入力する。送信周波数決定部12は、1Fの値に周波数を設定し、前述の周波数変換信号1Cを送信電力決定部13へ入力する。
【００２１】
また、認証鍵が正規だった場合には、先述の認証鍵挿入部16は取得した電力情報を取得電力情報1Eとして認証鍵送信電力判断部15へ入力する。認証鍵送信電力判断部15は、1Eの値によって送信電力を決定し、決定電力情報1Gを送信電力決定部13へ入力する。送信電力決定部13は、1Fの値に電力を設定し、電波を出力する。
【００２２】
本発明の送信機しかエリア放送を行わないように制度化することで、周波数の発射間違いや送信電力の設定間違いを回避する事が可能になり、安全にホワイトスペースを有効活用する事が可能になる。
また、認証鍵は、政府機関や各エリア放送での周波数や送信電力を決定する機関が、発行する事により、誰でも簡単に入手する事が出来ず、ゲリラ的なエリア放送局を防止する事が可能になる。
【００２３】
本発明によれば、エリア放送では、電波発射する地域において既存の放送局と混信が無いように、エリア放送で使用する周波数や送信電力を選定し電波発射を行う事が可能になる。また、ゲリラ的なエリア放送局や、海賊版のエリア放送を防止可能である。また、より効率的に周波数の空地を安全に使用可能になる
つまり、エリア放送を行う送信機に、認証鍵を挿入する部分を設け、認証鍵によって指定された周波数、チャンネルや送信電力でしか電波発射不可能な仕組みにする事で、周波数を間違えて送信をしたり、意図的にその地域で空いていない周波数から電波発射する事を防止可能で、ホワイトスペースを安全に有効活用する事が可能である。
【００２４】
以上、ＯＦＤＭ変調で説明したが、本発明は、ＱＡＭ変調でも、ＣＤＭＡでも、ＴＤＭＡでも、残留側波帯変調でもかまわない。
【符号の説明】
【００２５】
１０：送信機、１１：ＯＦＤＭ変調部、
１２：送信周波数決定部（周波数変換機能付）、
１３：送信電力決定部（高周波数増幅機能付）、
１４：認証鍵送信周波数判断部、１５：認証鍵送信電力判断部、
１６：認証鍵挿入部、
１７：アンテナ、
【図１】
2011223380.tif 000003
【図２】
2011223380.tif 000004
【図３】
2011223380.tif 000005
【図４】
2011223380.tif 000006